(57)【特許請求の範囲】
【請求項１】
油バーナと、この油バーナに連結された瞬間式熱交換器と、この瞬間式熱交換器で加熱された温水を貯溜する温水タンクと、この温水タンクの温水を外部放熱器に循環させる循環ポンプと、給油口を有し、油バーナに供給する油を貯溜する油タンクとを、単一ケーシング内に収容してなる熱源機であって、
前記油タンクをケーシングの底板上に固定載置する一方、油バーナと瞬間式熱交換器との連結構造体を油タンク上方のケーシング内に横向き設置し、かつ、この横向き設置された連結構造体は、少なくとも一端側が油タンク上に立設した固定板装置にて固定保持され、
前記循環ポンプは、前記油タンクの横に並べてケーシングの底板上に固定載置したことを特徴とする温水暖房用熱源機。
【請求項２】
前記油タンクは貯油量が１５リットル〜２５リットルのものであることを特徴とする請求項１に記載の温水暖房用熱源機。
【発明の詳細な説明】
【０００１】
【発明の属する技術分野】
本発明は、屋外に設置され、室内に設置された床暖房パネル等の放熱器に温水を循環させて暖房する温水暖房用熱源機に関する。
【０００２】
【従来の技術】
従来の温水暖房用熱源機は、例えば、特開平１−１３４１２６号公報等に開示されているように、箱体状のケーシング内に、油バーナ、この油バーナに連結された瞬間式熱交換器、この瞬間式熱交換器で加熱された温水を貯溜する温水タンク、この温水タンクの温水を外部放熱器に循環させる循環ポンプ及びオイルレベラ等を収容した構成となっている。
【０００３】
【発明が解決しようとする課題】
ところで、従来構成の温水暖房用熱源機は、屋外に設置され、そして、この温水暖房用熱源機とは別に設置した燃料タンクに燃料パイプを介して接続されるものである。従って、温水暖房用熱源機とは別に油タンクを設置する必要があり、この油タンクの設置スペースを温水暖房用熱源機とは別に確保しなければならないばかりでなく、設置工事や配管工事も繁雑になる難点があった。
【０００４】
本発明は上述の実情に鑑みてなされたものであり、油タンクの設置スペースを不要としつつ、施工性に優れた温水暖房用熱源機を提供できるようにすることを目的としている。
【０００５】
【課題を解決するための手段】
請求項１に記載の本発明では、油バーナと、この油バーナに連結された瞬間式熱交換器と、この瞬間式熱交換器で加熱された温水を貯溜する温水タンクと、この温水タンクの温水を外部放熱器に循環させる循環ポンプと、給油口を有し、油バーナに供給する油を貯溜する油タンクとを、単一ケーシング内に収容してなる熱源機であって、前記油タンクをケーシングの底板上に固定載置する一方、油バーナと瞬間式熱交換器との連結構造体を油タンク上方のケーシング内に横向き設置し、かつ、この横向き設置された連結構造体は、少なくとも一端側が油タンク上に立設した固定板装置にて固定保持され、前記循環ポンプは、前記油タンクの横に並べてケーシングの底板上に固定載置した構成である。
【０００６】
【０００７】
請求項２に記載の本発明では、前記油タンクは貯油量が１５リットル〜２５リットルのものである。
【０００８】
【発明の実施の形態】
以下、本発明による温水暖房用熱源機の一実施形態例について、図１ないし図４に基づいて説明する。温水暖房用熱源機Ａは平面視横長矩形状で正面視略正方形状の箱体状のケーシング１を有し、このケーシング１は、天板２、底板３、左右の側板４、５、背板６及び着脱可能な前パネル７にて構成されている。前記ケーシング１の内部には、油バーナ８と、この油バーナ８に連結された瞬間式熱交換器９と、この瞬間式熱交換器９で加熱された温水を貯溜するシスターンタンク１０と、このシスターンタンク１０に一旦貯溜された温水を床暖房パネル１１（外部放熱器）に循環させる循環ポンプ１２と、給油口１３及び油量表示器１４を上面部に有し、前記油バーナ８に供給する灯油等の油を貯溜する固定型の油タンク１５等が収容されている。また、前記ケーシング１の右側板５の下部及び背板６の上下両部の適所にはケーシング１の内外を連通する通気部イ、ロ、ハを設けている。
【０００９】
前記前パネル７は、図３に示すように、油タンク１５の給油口１３に対向する中央部に開閉蓋１６が設けられ、この開閉蓋１６に隣接して、前記油量表示器１５に対向する覗き窓１７が設けられ、前記開閉蓋１６を開放して油タンク１５の給油口１３より油を補給できるようにしている。
【００１０】
前記ケーシング１の底板３上には、前記油タンク１５が適宜な固定手段で固定載置されているとともに、この油タンク１５の横に位置して前記循環ポンプ１２が適宜な固定手段で固定載置されている。また、前記油タンク１５は、貯油量が約１５〜２５リットルに設定されており、この油タンク１５内に貯溜された油は、電磁ポンプ等の燃料ポンプ１８にて汲み上げられ、燃料供給管１９を介して油バーナ８へ供給される。
【００１１】
前記油バーナ８は、灯油を気化して燃焼させる燃焼量可変式のロータリガス化バーナで構成され、発熱量を機器の熱要求に応じて約１，２００〜３，０００ｋｃａｌ／ｈの範囲で可変できる。また、この油バーナ８にて加熱される瞬間式熱交換器９は、それの基部が油バーナ８の先端部に連結されるとともに、それの先端部には排気箱９Ａを備え、この排気箱９Ａ内の排気ガスは、排気管２０を介して排気トップ２１から放出される。
【００１２】
前記油バーナ８と瞬間式熱交換器９との連結構造体Ｘは、前記油タンク１５の直上のケーシング１内の上部空間に横向き設置され、そして、この横向き設置された連結構造体Ｘは、一端側の油バーナ８の適所が後述する固定板装置２２にて固定保持されるとともに、他端側の排気箱９Ａが係止金具（図示せず）を介してケーシング１内の一側上部に装着された支持板２３に係着保持される。２４は油バーナ８に燃焼空気を供給する送風機であり、この送風機２４は油バーナ８に連結されている。
【００１３】
前記固定板装置２２は、下縁部が油タンク１５の上面に装着された固定金具２５にネジ止め等で固定されるとともに、後縁部がケーシング１の背板６にネジ止め等で固定され、前記油バーナ８を介挿する前方開放の切欠が設けられた主固定板２２Ａと、この主固定板２２Ａの切欠に油バーナ８を介挿した後、主固定板２２Ａに前方よりネジ止めする着脱可能な副固定板２２Ｂにて構成されている。
【００１４】
２６はシスターンタンク１０の補給口蓋、２７は制御ボックス、２８は戻り側接続口であり、この戻り側接続口２８から熱源機Ａに戻された床暖房パネル１１にて放熱後の温水は、戻り管２９を通って瞬間式熱交換器９へ流れ、ここで加熱されて温度上昇した温水は、第１行き管３０を通ってシスターンタンク１０に入り、このシスターンタンク１０内の温水は、第２行き管３１を通って循環ポンプ１２に入り、ここで昇圧されて第３行き管３２を通って行き側接続口３３へ流れる。
【００１５】
図４は本発明に係る熱源機Ａを使用した温水暖房システム全体の設置状態の説明図であり、屋外に設置した熱源機Ａからの温水は、屋外側行き配管３４を通り、室壁３５に設けたコンセント３６、プラグ３７及び屋内側行き配管３８を介して室内の床３９上に敷設した床暖房パネル１１へ流れ、ここで放熱した後、屋内側戻り配管４０、プラグ３７、コンセント３６及び屋外側戻り配管４１を介して再び熱源機Ａへ戻される。
【００１６】
本実施形態例によれば、油バーナ８と、この油バーナ８に連結された瞬間式熱交換器９と、この瞬間式熱交換器９で加熱された温水を貯溜するシスターンタンク１０と、このシスターンタンク１０の温水を床暖房パネル１１に循環させる循環ポンプ１２と、給油口１３及び油量表示器１４を有し、油バーナ８に燃料ポンプ１８を用いて供給する油を貯溜する貯油量が１５リットル〜２５リットルの固定型の油タンク１５とを、一つのケーシング１内に収容し、前パネル７に設けた開閉蓋１６を開放することにより、給油口１３より油タンク１５内に簡単に油を補給できるようにしているので、熱源機Ａとは別に屋外設置型の油タンクを用意して設置する必要がなく、また、油タンクの設置スペースを熱源機Ａとは別に確保する必要もない。そのため、ベランダ等の狭い設置スペースでも設置が可能となるばかりでなく、設置時間の短縮化や設置工事の簡易化が図れる。
【００１７】
また、前記油タンク１５をケーシング１の底板３上に固定載置し、油バーナ８と瞬間式熱交換器９との連結構造体Ｘを油タンク１５の上方のケーシング１内に横向き設置しているので、油タンク１５は油バーナ８と瞬間式熱交換器９の下方に位置することで、それらの放熱の影響が受けにくいのはもとより、油バーナ８及び瞬間式熱交換器９からの放熱は、ケーシング１下部の通気部イ、ロから流入する新鮮空気の流れにより、ケーシング１上部の通気部ハから滞ることなく外部に放出されため、油タンク１５の温度上昇を抑制することができる。また、油バーナ８と瞬間式熱交換器９との連結構造体Ｘは、一端側の油バーナ８の適所が油タンク１５上に立設した固定板装置２２にて固定保持されている構成であるから、油タンク１５を連結構造体Ｘの支持部材として活用できる。更に、前記循環ポンプ１２は、前記油タンク１５の横に並べてケーシング１の底板３上に固定載置した構成であるから、循環ポンプ１２と油タンク１５の重さがケーシングを安定化させる作用をし、油バーナ８と瞬間式熱交換器９との連結構造体Ｘを油タンク１５の上方のケーシング１内に設置したにも係らず、ケーシングを安定的に設置可能である。
【００１８】
【発明の効果】
請求項１に記載の温水暖房用熱源機においては、油バーナと、この油バーナに連結された瞬間式熱交換器と、この瞬間式熱交換器で加熱された温水を貯溜する温水タンクと、この温水タンクの温水を外部放熱器に循環させる循環ポンプと、給油口を有し、油バーナに供給する油を貯溜する油タンクとを、単一ケーシング内に収容してなる構成であるから、別置きの油タンクが不要となり、狭い設置スペースでも設置が可能であるとともに、設置時間の短縮化や設置工事の簡易化を図ることができる。
【００１９】
また、前記油タンクをケーシングの底板上に固定載置する一方、油バーナと瞬間式熱交換器との連結構造体を油タンク上方のケーシング内に横向き設置し、かつ、この横向き設置された連結構造体は、少なくとも一端側が油タンク上に立設した固定板装置にて固定保持されている構成であるから、油タンクが油バーナ及び瞬間式熱交換器の熱影響を受けにくいようにできるため、油タンクの温度上昇を抑制し、安全性を維持できるとともに、油タンクを油バーナ及び瞬間式熱交換器の支持部材として活用できるので、構成の簡素化が図れる上、ケーシング内における油タンクの設置スペースを十分に確保でき、貯油量の大きな油タンクの収容を可能となせる。
【図面の簡単な説明】
【図１】本発明の一実施形態例を示す温水暖房用熱源機の前パネルを外した状態の正面図である。
【図２】同じく温水暖房用熱源機の縦断側面図である。
【図３】同じく温水暖房用熱源機の外観斜視図である。
【図４】本発明に係る熱源機を使用した温水暖房システム全体の設置状態の説明図である。
【符号の説明】
１      ケーシング
３      底板
８      油バーナ
９      瞬間式熱交換器
１０      シスターンタンク（温水タンク）
１１      床暖房パネル（外部放熱器）
１２      循環ポンプ
１３      給油口
２２      固定板装置
Ｘ      連結構造体
【図１】
0003634571.tif 000002
【図２】
0003634571.tif 000003
【図３】
0003634571.tif 000004
【図４】
0003634571.tif 000005